(57)【要約】【課題】薬液や潤滑剤を人の特定部位である女性の性器や人の肛門に噴射してその部位を洗浄すると共に必要に応じて内部に直接注入することができ、且つ病気の感染や衛生面を考慮した携帯用噴射注入具を提供すること。【解決手段】先端に形成された噴射ノズル１１、薬液や潤滑剤を収容する装填部１５及び当該装填部１５に隣接する空間部１３を有するシリンダー１と、前記シリンダー１内において装填部１５に充填された薬液や潤滑剤を封止するピストン部５と、前記シリンダー１の内部に挿入され且つ押し込み力が生じればピストン部５を噴射ノズル１１に向かって移動させる押し込み棒７とから成り、前記ピストン部５をエラストマーで構成すると共に噴射ノズル１１の対向するピストン部５を破れやすくすべく薄肉としてある。【選択図】    図４
2010179130.tif 000002
【特許請求の範囲】
【請求項１】
女性の性器及び人の肛門の洗浄や、これらの内部に薬液や潤滑剤を噴射注入する器具であって、先端に形成された噴射ノズル、薬液や潤滑剤を収容する装填部及び当該装填部に隣接する空間部を有するシリンダーと、前記シリンダー内において装填部に充填された薬液や潤滑剤を封止するピストン部と、前記シリンダーの内部に挿入され且つ押し込み力が生じればピストン部を噴射ノズルに向かって移動させる押し込み棒とから成り、前記ピストン部をエラストマーで構成すると共に噴射ノズルの対向するピストン部分を破れやすくすべく薄肉としてあることを特徴とする携帯用噴射注入具。
【請求項２】
押し込み棒の上端から下端にかけて、中空としてあることを特徴とする請求項１記載の携帯用噴射注入具。
【発明の詳細な説明】
【技術分野】
【０００１】
この発明は、薬液や潤滑剤の注入具に関するもので、特に、その内部の装填部に予め装填した所定の薬液や潤滑剤を人の特定部位である女性の性器や人間の肛門に噴射（圧力をうけて、ゆっくりと流れ出るものから勢い良く飛び出すものまで含む、ジェット噴射を含む）してその部位を洗浄し、必要に応じて膣内や肛門内に薬液や潤滑剤を直接注入することができる携帯用噴射注入具に関するものである。
【０００２】
なお、上記薬液には避妊剤、麻酔剤、浣腸剤、解熱剤等があり、潤滑剤には潤滑ローション、潤滑ジェル、潤滑ゼリー等があり、目的に応じて選択される。
【背景技術】
【０００３】
現代は生活が複雑で、且つ忙しい日々が続く社会になってきている。こうした現代を過ごしていくため、生活人の忙しい日々を解決する器具が多く開発され使用されてきた。
【０００４】
それにもかかわらず、衛生や人の特定部位に関わり、女性の避妊や治療薬の人体内挿入のための簡便な器具の開発はまだ不十分であるといえる。即ち、女性の性器や膣周辺の衛生、避妊薬液の挿入、人の肛門周囲の清潔を保つことは、疾病予防のために非常に大切であるにもかかわらず、女性用避妊薬や肛門に注入する浣腸薬等、所定の薬液注入は直接人の手でなされてきた。このような作業は非常にわずらわしく容易ではない。
【０００５】
よく知られているように、女性の性器や膣、人の肛門は非常に敏感で弱い部分なのでかなりの注意が必要である。特に、女性の性器や膣内には、性交のための潤滑剤及び避妊薬、性病の治療や予防のための薬液の注入、肛門内の所定の浣腸薬等の注入にはさらに注意が必要である。
【０００６】
しかしながら、女性の性器や人の肛門を効果的に洗浄し、その内部に所定の薬液を注入する簡単で安全な器具が未だに開発されていないのが実情である。
【０００７】
ところで、この種の薬液注入器具としては、例えば特許文献１において開示されている。この薬液注入具は、先端に潤滑液流出口が形成されたプラスチックシリンダーを備えると共に前記シリンダー−内に設けた押し込み棒を潤滑液流出口に向かって押し込む形式を採用しており、前記シリンダーの先端に充填した潤滑液を潤滑液流出口から流出させるようにしたものである。よって、これを用いると容易に女性性器に潤滑剤が塗布できる。
【０００８】
しかしながら、上記薬液注入具は、一度使用したものがそのまま再度使用することが可能であるが故に、再使用された場合には不衛生であり、病気が感染する可能性があるという問題がある。
【特許文献１】特開２００１−１８７１５１号
【発明の開示】
【発明が解決しようとする課題】
【０００９】
そこで、この発明では、薬液や潤滑剤を人の特定部位である女性の性器や人の肛門に噴射してその部位を洗浄すると共に必要に応じて内部に直接注入することができ、且つ病気の感染や衛生面を考慮した携帯用噴射注入具を提供することを課題とする。
【課題を解決するための手段】
【００１０】
（請求項１記載の発明）
この発明の携帯用噴射注入具は、女性の性器及び人の肛門の洗浄や、これらの内部に薬液や潤滑剤を噴射注入する器具であって、先端に形成された噴射ノズル、薬液や潤滑剤を収容する装填部及び当該装填部に隣接する空間部を有するシリンダーと、前記シリンダー内において装填部に充填された薬液や潤滑剤を封止するピストン部と、前記シリンダーの内部に挿入され且つ押し込み力が生じればピストン部を噴射ノズルに向かって移動させる押し込み棒とから成り、前記ピストン部をエラストマーで構成すると共に噴射ノズルの対向するピストン部分を破れやすくすべく薄肉としてある。
【００１１】
（請求項２記載の発明）
この発明の携帯用噴射注入具は、上記請求項１記載の発明に関し、押し込み棒の上端から下端にかけて、中空としてある。
【発明の効果】
【００１２】
この発明の携帯用噴射注入具では、薬液や潤滑剤を人の特定部位である女性の性器や人の肛門に噴射してその部位を洗浄すると共に必要に応じて内部に直接注入することができ、且つ病気の感染が起こらず又、衛生的である。
【発明を実施するための最良の形態】
【００１３】
以下にこの発明の携帯用噴射注入具を実施するための最良の形態としての実施例について詳細に説明する。
【実施例１】
【００１４】
図１はこの実施例の携帯用噴射注入具の分解斜視図、図２は前記携帯用噴射注入具の先端側部の断面図、図３は前記携帯用噴射注入具の作動を示す断面図を示している。
【００１５】
（この携帯用噴射注入具１０の基本的構成について）
この携帯用噴射注入具１０は、図１に示すように、先端部に噴射ノズル１１を有するシリンダー−１内にピストン部５を内装してあり、前記ピストン部５を押し込み棒７により後端部から噴射ノズル１１へ押し込み移動させるようにして薬液や潤滑剤 (以下、薬液等という）を噴射ノズル１１から噴射させるようにするものである。
【００１６】
（シリンダー１の構成について）
シリンダー−１は、図１や図２に示すように、先端部が断面円形又は楕円形状の挿入部２と、前記挿入部２から延設された直線状の長手部３と、前記長手部３の後端部の漏斗状部８とを具備しており、噴射ノズル１１から後端部に到る全長にわたって同じ径の空洞が形成されていると共に長手部３と後端側部分には薬液等が注入されたゲル状のカプセル４が収容される装填部１５が形成されている。
【００１７】
挿入部２は、図２に示すように、先端から後端に向かって徐々に太くなって最大位置では長手部３よりも太い流線形状になっており、人体の特定部位への挿入に際して痛みを伴うことなく円滑に行えるようになっている。また、この挿入部２には、その先端から後端への一定範囲に薬液等を噴射する噴射ノズル１１が形成されており、前記噴射ノズル１１の後端側には切断部１２（噴射ノズルと一体成形された刃）が設けられている。また、装填部１５は、図２に示すように、上述した如く所定の薬液等を有するゲル状のカプセル４がシリンダー−１の漏斗状部８を介して予め充填される。なお、この装填部１５は、ピストン部５によってその容積が決定される。
【００１８】
長手部３は、図２に示すように、その内周壁であってピストン位置決め用の後述する環状突起１７よりも少し後端側に、断面三角形状の係止突起１９が形成されている。前記係止突起１９は、突起の頂部を頂角とした場合における三角形の先端側傾斜面の角度が８０°程度（大角度）であるのに対して後端側傾斜面の角度が２０°から３０°程度（小角度）としてある。
【００１９】
（ピストン部５の構成について）
ピストン部５は、図２に示すように、外周面に複数の周溝６を有する厚肉板状に形成されて成るものであり、上記した装填部１５に隣接する位置に設けられている。このピストン部５の周溝６には図２に示すように、弾性部材（エラストマー材）より成る封止部材１６が挿入され、下部の溝６にはシリンダー１の内周壁に形成された環状突起１７が嵌合されている。つまり、このピストン部５では、封止部材１６により薬液等の押し出し時におけるシリンダー１の内周壁とピストン部５の外周壁との間の流体密性を確保し、環状突起１７と溝６との係合によりシリンダー−１内におけるピストン部５の位置決めがなされている。
【００２０】
（押し込み棒７の構成について）
押し込み棒７は、図１に示すように直線状の棒体（筒状）により構成されていると共にその後端には押し込み終了時に上記漏斗状部８内に入り込んで係合する拡張部９が形成されている。
【００２１】
また、押し込み棒７は、図２に示すように、その外周面に係止突起１９と係合状態となる係止突起１４を設けてあり、この係止突起１４の突起の頂部を頂角とした場合における三角形の先端側傾斜面の角度が２０°から３０°程度（小角度）であるのに対して後端側傾斜面の角度が８０°（大角度）程度としてある。
【００２２】
ここで、この押し込み棒７をシリンダー１の長手部３に挿入して押し込むと、係止突起１９を係止突起１４が乗り越えて所定位置（ピストン部５の位置から少し離れた位置）で抜け止め状態に支持される。したがって、携帯用噴射注入具１０は、図３に示すように、装填部１５にカプセル４が充填され、押し込み棒７がピストン部５に対して向かって押し込まれれば、切断部１２によってカプセル４の上端が切り込まれて薬液等が噴射ノズル１１から噴射することになる。
【００２３】
さらに、この押し込み棒７には図２に示すように、もう一つの係止突起１４’が上記係止突起１４より後端側に設けてあり、前記係止突起１４’が係止突起１９を越えたときに、漏斗状部８内に拡張部９が入り込む押し込み終了となるようにしてある。なお、係止突起１４’は係止突起１４と同じ形状としてあり、係止突起１４’は押し込み棒７の押し込み時においては係止突起１９を越えることができるが、一旦係止突起１４’が係止突起１９を通過すると、係止突起１４’と係止突起１９との係止により押し込み棒７はシリンダー１から非常に抜けにくいか又は抜けないようになっている。
【００２４】
（この携帯用噴射注入具１０に使用される薬剤について）
この携帯用噴射注入具１０に使用される薬剤としては、潤滑剤、洗浄剤、麻酔剤等が挙げられる。
【００２５】
（この携帯用噴射注入具１０の使用方法について）
この携帯用噴射注入具１０を使用すると、女性の性器や人の肛門に薬液を内部に直接注入することができる。その使用方法を如何に述べる。
【００２６】
(1) 先ず、シリンダー−１の先端部分を女性の性器（膣内）や人の肛門内に挿入する。このシリンダー−１の先端部分は先端先細の流線形状になっているから、挿入時に痛みを伴うことは少ない。その後、シリンダー−１を人指し指と中指で挟み、押し込み棒７を親指で押し込む。すると、環状突起１７と溝６との係合が解かれて、押し込み棒７の先端部がピストン部５が先端側に押し出される。
【００２７】
(2) 上記(1) の状態から更に押し込み棒７を押し込むと、ピストン部３と共に薬液等が充填されたカプセル４が先端側に押し込まれ、カプセル４の先端側が切断部１２により切断される。
【００２８】
(3) 上記(2) の状態から更に押し込み棒７を押し込むと、薬液等が噴射ノズル１１から噴射（ジェット噴射含む）される。
【００２９】
(4) 上記(3) の状態が継続されて、漏斗状部８内に拡張部９が入り込んで押し込み棒７の押し込みが終了すると、カプセル４内に充填された薬液等のほとんどが噴射ノズル１１から噴射されると同時に、係止突起１４’が係止突起１９を通過する。すると、係止突起１４’と係止突起１９との係止により押し込み棒７はシリンダー１から非常に引き抜きにくいか又は抜けないようになる。つまり、携帯用噴射注入具１０は再使用できず、よって病気の感染が起こらず又、衛生的である。
【実施例２】
【００３０】
この実施例２の携帯用噴射注入具１０は基本的には実施例１と同じ構成であるが、図４や図５に示すように、ピストン部５の中央部に凹部５’を設けている点のみが相違している。
【００３１】
即ち、この携帯用噴射注入具１０では、図４や図５に示すように、ピストン部５の下面中央に凹部５’が形成されて薄肉となっている。
【００３２】
したがって、この携帯用噴射注入具１０では、一旦ピストン部５が押し込まれると、再使用は不能である。何故ならば、噴射ノズル１１から針等を突っ込みピストン部５を押し戻そうとしても中央部が薄肉になっているので孔が開いてしまい、押し戻せないからである。
【００３３】
なお、図２、図４、図５に示すように、押し込み棒の上端から下端にかけて中空としてあるので、噴射ノズル１１から突っ込んだ針等はピストン部５を通過し、その後押し込み棒の中空部分に到るので、前記針等で押し込み棒７を使用前の位置に押し出すことができない。つまり、この携帯用噴射注入具１０は再使用できず、よって病気の感染が起こらず又、衛生的である。
【実施例３】
【００３４】
この実施例３の携帯用噴射注入具１０は基本的には実施例１と同じ構成であるが、図６に示すように、切断部１２が噴射ノズル１１に有していない点でのみ相違している。
【００３５】
この携帯用噴射注入具１０では、図６に示すように、装填部１５がピストン部５によって限定されて所定の容積が決定されるが、装填部１５への薬液等の充填は噴射ノズル１１を封止しない状態でシリンダー１に一定の量を挿入し、ピストン部５と押し込み棒７を用いて充填するか、または空間部１３を用いて別の針付き注入器を挿入して充填することもできる。
【００３６】
上記のようにして薬液等が装填部１５に充填されて、図６に示すように、押し込み棒７がピストン部５に当接して所定の力で押し込まれれば、薬液等は噴射ノズル１１を介してジェット噴射される。
【実施例４】
【００３７】
この実施例４の携帯用噴射注入具１０は、基本的な考え方は上記実施例１と同様であるが、図７に示すように、挿入部２と長手部３との二分割してなるものとし、両者をネジ結合により一体化してシリンダー１を構成している点、また挿入部２を円柱状に形成している点で実施例１と相違している。つまり、この実施例４では、挿入部２がキャップ状に形成されたキャップ部２０で構成され、キャップ部２０の後端内側に雌ネジ部１８が、長手部３の先端外側に雄ネジ部２４が、それぞれ形成されている。
【００３８】
キャップ部２０は、図７に示すように、その後端部にメンブレイン部材２３で閉蓋されて成るもので、先端中央に所定の深さで延長される噴射ノズル２１が形成されていると共に前記噴射ノズル２１と連通する装填部２２が形成されている。なお、装填部２２に薬液等が充填された後、噴射ノズル２１の流出口を接着テープやキャップで封止するようにすればよい。
【００３９】
長手部３は、図７に示すように、ピストン部５を最先端部に位置決めするようにしてあり、その他は実施例１と同じ構成である。
【００４０】
上記のような構成とすることにより、好みや使用目的等に応じていろいろな形状のキャップ部２０を使用することが可能になる。例えば、図７に示すような正面視四角形（円筒形状）のキャップ部の他、図８に示す如き上部が半球状のキャップ部、図９に示す如き上部が正面視三角形状（円錐状）のキャップ部、図１０に示す如き上部が円錐台形状のキャップ部とすることができる。
【００４１】
この携帯用噴射注入具１０では、押し込み棒７を先端側に押し込むことで、メインブレイン部材２３を破って薬液等を噴射ノズル２１を介して噴射（ジェット噴射含む）することができる。
【実施例５】
【００４２】
図１１はこの携帯用噴射注入具１０の押し込み棒７を先端側へ移動する直前の断面図、図１２は前記押し込み棒７を先端側へ押し込んでピストン部５を噴射ノズル１１又はその近傍へ移動させた状態の断面図、図１３は図１２の状態から押し込み棒７を引き抜いた状態の断面図を示している。
【００４３】
この実施例５の携帯用噴射注入具１０は、基本的な考え方は上記実施例１と同様であるが、図１１〜図１３に示すように、押し込み棒７によりピストン部５を噴射ノズル１１又はその近傍まで押し込んだ後に押し込み棒７を引き抜いたときには、ピストン部５はシリンダー１の内壁との係止により前記噴射ノズル１１又はその近傍で残留するようにしている。このため、ピストン部５、押し込み棒７及びシリンダー１の内壁面を以下のような構成としてある。
【００４４】
ピストン部５は、図１１に示すように下部開放のキャップ状のものであり、開放部近傍の内周部に係止突起５０を、外周部に係止突起５１を、それぞれ設けている。
【００４５】
シリンダー１の内壁面には、図１２に示すように、ピストン部５が装填部１５の最先端位置（噴射ノズル１１又はその近傍）に移動したときに係止突起５１が嵌まり込む凹み部１００を設けてある。
【００４６】
押し込み棒７は、図１１〜図１３に示すようにその先端側に、ピストン部５の開放端側を受ける受け皿部７１と、前記受け皿部７１に延設したピストン支持部７０とを具備させてあり、前記ピストン支持部７０を先端側の頭部７２と、当該頭部７２の最大径よりも細い径の首部７３とから構成されている。
【００４７】
ここで、上記したキャップ状のピストン部５は、図１１に示すように、頭部７２から首部７３にかけて被せてあるが、頭部７２は係止突起５０を押し広げるようにして強制嵌入してある。したがって、ピストン部５が押し込み棒７から不用意に外れるようなことはない。なお、この携帯用噴射注入具１０では、頭部７２と係止突起５０との係止力は、係止突起５１と凹み部１００の構成壁との係止力よりも小さく設定してある。
【００４８】
したがって、この携帯用噴射注入具１０では、図１２に示す如く押し込み棒７の押し込み時においてはピストン部５は噴射ノズル１１又はその近傍まで押し込まれ、図１３に示す如く押し込み棒７の引き抜き時においてはピストン部５は噴射ノズル１１又はその近傍で残留する。つまり、この携帯用噴射注入具１０は再使用できないので、病気の感染が起こらず又、衛生的である。
【００４９】
（他の実施の形態について）
上記した全ての実施例ではシリンダー１の先端に噴射ノズル１１を設けてあるが、前記噴射ノズル１１にかえて、シリンダー１の先端壁面に穿設された孔でもよい。
【図面の簡単な説明】
【００５０】
【図１】この発明の実施例１の携帯用噴射注入具の分解斜視図。
【図２】前記携帯用噴射注入具において、上段の図は前記携帯用噴射注入具の先端側部の断面図、下段の図は押し込み棒を押し込んで拡張部が漏斗状部に入り込んだ状態の断面図。
【図３】前記携帯用噴射注入具の作動を示す断面図。
【図４】この発明の実施例２の携帯用噴射注入具の断面図。
【図５】図４のＡ部の拡大図。
【図６】この発明の実施例３の携帯用噴射注入具の断面図。
【図７】この発明の実施例４の携帯用噴射注入具の先端側部の断面図。
【図８】前記実施例４に類似する携帯用噴射注入具の先端側部の断面図。
【図９】前記実施例４に類似する携帯用噴射注入具の先端側部の断面図。
【図１０】前記実施例４に類似する携帯用噴射注入具の先端側部の断面図。
【図１１】この発明の実施例５の携帯用噴射注入具の押し込み棒を先端側へ移動する直前の断面図。
【図１２】前記押し込み棒を先端側へ押し込んでピストン部を噴射ノズル又はその近傍へ移動させた状態の断面図。
【図１３】図１２の状態から押し込み棒を引き抜いた状態の断面図。
【符号の説明】
【００５１】
１      シリンダー
５      ピストン部
７      押し込み棒
１１    噴射ノズル
１３    空間部
１５    装填部
【図１】
2010179130.tif 000003
【図２】
2010179130.tif 000004
【図３】
2010179130.tif 000005
【図４】
2010179130.tif 000006
【図５】
2010179130.tif 000007
【図６】
2010179130.tif 000008
【図７】
2010179130.tif 000009
【図８】
2010179130.tif 000010
【図９】
2010179130.tif 000011
【図１０】
2010179130.tif 000012
【図１１】
2010179130.tif 000013
【図１２】
2010179130.tif 000014
【図１３】
2010179130.tif 000015